(57)【特許請求の範囲】
【請求項１】
薬液タンク及び薬液ポンプを備えた薬液配管と、
前記薬液配管から分岐されて複数の海水吸入箱に各々接続される分配配管と、
前記分配配管に各々設けられる電磁弁と、
前記薬液ポンプの駆動及び前記電磁弁の開閉駆動を、各々設定された時刻に制御する制御部を有する海洋生物付着防止装置であって、
前記制御部が空調機制御盤と制御信号線により接続され、
前記制御部は、前記薬液ポンプを駆動して前記電磁弁を開くとき、前記空調機制御盤に停止制御信号を出力して空調機を一時停止させることを特徴とする海洋生物付着防止装置。
【請求項２】
前記制御部は、前記空調機を一時停止させるに際し、前記分配配管に設けられた電磁弁の内、前記空調機用の冷却海水を取り込む海水吸入箱に接続される分配配管の電磁弁を開くときに前記空調機を一時停止させることを特徴とする請求項１に記載した海洋生物付着防止装置。
【請求項３】
前記空調機の一時停止時は、空調装置を送風運転として送風機の駆動を持続させることを特徴とする請求項１または請求項２に記載した海洋生物付着防止装置。
【請求項４】
船舶の海水吸入箱に海洋生物が付着することを防止する方法であって、薬液タンクから薬液ポンプにより薬液配管及び分配配管を介して各海水吸入箱に薬液を注入散布するに際し、タイマーにより設定された時刻に薬液ポンプを駆動さると共に、前記分配配管に設けた電磁弁を開いて前記各海水吸入箱に各々所定量の薬液を注入し、空調機用の冷却海水を取り込む海水吸入箱に薬液を注入するとき、前記海水吸入箱からの冷却海水により冷却が行われる空調機を停止させ、前記空調機用の冷却海水を取り込む海水吸入箱に薬液を注入した後、１時間乃至２時間経過後に前記タイマーにより前記空調機の作動を再開させることを特徴とする海洋生物の付着防止方法。
【請求項５】
前記空調機用の冷却海水を取り込む海水吸入箱に薬液を注入する時刻を午前１時から午前５時の間とすることを特徴とする請求項４に記載した海洋生物の付着防止方法。
【請求項６】
前記注入時刻は、船舶の停泊地の現地時刻であることを特徴とする請求項５に記載した海洋生物の付着防止方法。
【発明の詳細な説明】
【技術分野】
【０００１】
本発明は、シーチェストと呼ばれる船舶の海水吸入箱に海藻などの海洋生物が付着生育することを防止する装置及び方法に関するものである。
【背景技術】
【０００２】
一般に船舶では、エンジンや発電機などの熱源の冷却用や空調機の冷却水、トイレなどのサニタリー用など使用するため、船底に設けたシーチェストと呼ばれる海水吸入箱から海水を取り入れることが行われている。
【０００３】
この海水吸入箱は、船舶の種類や船舶の大きさにより異なり、通常は取り入れる海水を使用目的に分けて複数個の海水吸入箱を設けている。
【０００４】
そして、船舶の船底に海藻やフジツボ等の海洋生物が付着生育することにより推進抵抗が増大し、また、海水吸入箱の内壁や海水取入れ口に海藻やフジツボ等の海洋生物が付着生育することにより、海水の取り込み不足ひいては船内機器の冷却不足による機器の不調など、海洋生物が船底や海水吸入箱内に付着生育することにより種々の弊害が生じるため、船底や海水吸入箱に海洋生物の付着生育を防止する手段が講じられている。
【０００５】
この海洋生物付着防止としては、近年、船底や海水吸入箱の内壁に特殊樹脂によるコーティングを施すことが行われ、また、海水吸入箱においては、藻吹かし弁と呼ばれる蒸気噴出口を設けること、海洋生物の付着や生育を防止する薬液を海水吸入箱に噴出散布することなどが行われており、また、船舶内で排出される洗濯汚水を海水吸入箱の内部に排出して洗剤などの成分により海洋生物の育成を阻害することも提案されている（例えば特許文献１）。
【０００６】
そして、この海洋生物の付着は、航海中よりも港湾等の停泊中に付着することが多く、また、海域や季節によっても異なるため、海水吸入箱への間欠的な薬液の散布に際しては、１回の散布量の変更や散布間隔の変更を行って効率的な海水吸入箱内での海洋生物の付着防止を図るようにしている。
【０００７】
また、停泊中においては、主エンジン用冷却水や発電機用冷却水は、取り入れる必要が低下し、海水吸入箱内での海水が滞留することが多くなり、海水吸入箱内に散布された薬液も冷却水として吸い上げられることなく海水吸入箱内に滞留し、薬液による被膜が壁面に形成され、海洋生物の付着防止及び付着した生物を窒息死させて生育を効果的に防止することができる。
【先行技術文献】
【特許文献】
【０００８】
【特許文献１】特開平０９―１２３９９２号
【発明の概要】
【発明が解決しようとする課題】
【０００９】
上述の様に、海洋生物の付着が多くなる停泊中においてエンジン冷却水用の海水吸入箱や発電機冷却水用の海水吸入箱における海洋生物の付着生育は、薬液注入により効果的に防止できるも、空調機用の海水を取り入れる海水吸入箱では、船舶では空調機を常に運転させるために空調装置に用いる空調機用冷却海水を連続して常に取り込むため、注入した薬液の海水吸入箱内での滞留量が少なく、薬液による海洋生物の付着育成の防止が効果的に行えない現象が生じている。
【００１０】
本発明は、この空調機用冷却水を取り入れる海水吸入箱の海洋生物の付着育成を防止できる船舶用の海洋生物付着防止装置及び付着防止方法を提供するものである。
【課題を解決するための手段】
【００１１】
本発明は、薬液タンク及び薬液ポンプを備えた薬液配管と、前記薬液配管から分岐されて複数の海水吸入箱に各々接続される分配配管と、前記分配配管に各々設けられる電磁弁と、前記薬液ポンプの駆動及び前記電磁弁の開閉駆動を、各々設定された時刻に制御する制御部を有する海洋生物付着防止装置であって、前記制御部が空調機制御盤と制御信号線により接続され、前記制御部は、前記薬液ポンプを駆動して前記電磁弁を開くとき、前記空調機制御盤に停止制御信号を出力して空調機を一時停止させる海洋生物付着防止装置とするものである。
【００１２】
また、前記制御部は、前記空調機を一時停止させるに際し、前記分配配管に設けられた電磁弁の内、前記空調機用の冷却海水を取り込む海水吸入箱に接続される分配配管の電磁弁を開くときに前記空調機を一時停止させる海洋生物付着防止装置とするものである。
【００１３】
更に、前記空調装置における空調機の一時停止時は、空調装置による冷暖房を中止して空調装置を送風運転とし、送風機の駆動を持続させる海洋生物付着防止装置とするものである。
【００１４】
そして、本発明は、船舶の海水吸入箱に海洋生物が付着することを防止する方法であって、薬液タンクから薬液ポンプにより薬液配管及び分配配管を介して各海水吸入箱に薬液を注入散布するに際し、タイマーにより設定された時刻に薬液ポンプを駆動さると共に、前記分配配管に設けた電磁弁を開いて前記各海水吸入箱に各々所定量の薬液を注入し、空調機用の冷却海水を取り込む海水吸入箱に薬液を注入するとき、前記海水吸入箱からの冷却海水により冷却が行われる空調機を停止させ、前記空調機用の冷却海水を取り込む海水吸入箱に薬液を注入した後、１時間乃至２時間経過後に前記タイマーにより前記空調機の作動を再開させる海洋生物の付着防止方法とするものである。
【００１５】
また、前記空調機用の冷却海水を取り込む海水吸入箱に薬液を注入する時刻を午前１時から午前５時の間とすることが好ましい。
そして、前記注入時刻は、船舶の停泊地の現地時刻とするものである。
【発明の効果】
【００１６】
本発明に係る海洋生物付着防止装置は、海水吸入箱に薬液を注入散布するとき、通常は連続運転が行われている空調機を一時停止させるため、空調機用の冷却海水の取り込みを停止し、海水吸入箱の内部の海水の流れを少なくし、海水吸入箱に注入した薬液の海水吸入箱内での滞留時間を長くすることができ、薬液による被膜形成など海洋生物の付着及び生育を防止することができる。
【００１７】
そして、空調機用の海水冷却を取り込む海水吸入箱に薬液を注入するときにこの海水吸入箱からの冷却海水を使用する空調機を一時停止させるときは、海水吸入箱内の海水の流れを停止させ、注入した薬液を確実に海水吸入箱内に滞留させ、薬液による被膜形成など海洋生物の付着及び生育を防止することができる。
【００１８】
更に、空調装置の空調機を停止させつつ空調装置の送風運転を継続させれば、船内換気を中断させることがなく、船内環境の悪化を防止しつつ海洋生物の付着及び生育を防止することができる。
【００１９】
また、本発明に係る海洋生物付着防止方法は、タイマーにより薬液ポンプを駆動させるときに空調機を停止させるため、１日の内で定まった時刻に薬液注入を行い、薬液注入後に設定した１時間乃至２時間程度の内の所定時間経過後に空調機を再作動させるため、船内作業の状況に合わせた空調機の停止時間を定めて薬液を海水吸入箱に薬液の注入を行い、海水吸入箱に薬液を滞留させることができ、海洋生物の付着生育を効果的に防止できる。
【００２０】
そして、空調機の停止時刻を午前１時から午前５時の間の所定時刻とすれば、船内作業量の少ない時刻帯を選んで空調機の停止を行うことが容易となるものであり、停泊地の現地時間で午前１時から午前５時の間とすれば、最も作業量の少ない時刻帯に空調機の停止時間帯を予定することができる。  
【図面の簡単な説明】
【００２１】
【図１】本発明に係る船舶用の海水吸入箱の海洋生物付着防止装置の概要を示す図。
【図２】本発明に係る船舶用の海洋生物付着防止装置本体の外観の一例を示す図。
【図３】本発明に係る船舶用の海洋生物付着防止装置の概要の一例を示す図。
【図４】本発明に係る船舶用の海洋生物付着防止装置として連動する空調機制御盤の外観の一例を示す図。
【図５】本発明に係る船舶用の海洋生物付着防止装置として連動する空調装置における回路構成の一例の要部を示す図。
【発明を実施するための最良の形態】
【００２２】
本発明に係る船舶用の海洋生物付着防止装置は、図１に示すように、船舶の船体10内に設けられるものであり、制御部32が空調機制御盤110に制御信号線により接続され、薬液タンク45から薬液ポンプ41を配した薬液配管43を有し、制御部32により薬液ポンプ41と共に制御される電磁弁を備えた分配配管59によって海水吸入箱13に薬液タンク45からの薬液配管43が接続される海洋生物付着防止装置30とするものである。
【００２３】
この、海水吸入箱13は、船底11近くの船体10内に設けられ、船底11または船底11近くの船体側面に設けられる複数の透孔を備えた吸入口カバー15を有し、１立方メートル程度の空間に海水を蓄えると共に、バルブ25や冷却海水用ポンプ23を備える冷却海水吸入管21を有するものである。
【００２４】
この冷却海水吸入管21により船内に取り込まれた海水は、直接または間接的に主エンジンや発電機、その他の熱源の冷却に用いられて海に戻されるものであり、海洋生物付着防止装置30の分配配管59が海水吸入箱13の壁面を貫通して海水吸入箱13の壁面に固定接続され、薬液を海水吸入箱13内に注入散布することを可能としているものである。
【００２５】
尚、海洋生物付着防止装置30の分配配管59は、海水吸入箱13の壁面に接続される場合に限ることなく、冷却海水吸入管21における海水吸入箱13近くの位置に接続され、冷却海水吸入管21を介して海水吸入箱13の内部に注入散布される場合や、藻ふかし弁と呼ばれる蒸気噴出管又はエアー抜き管などに接続されてこれらの管を介して海水吸入箱13内に注入散布されることもある。
【００２６】
この海洋生物付着防止装置30における制御装置31の本体部は、図２に示すように、本体基部47の上に分配ユニット49が設けられ、分配ユニット49の上に制御部32が設けられるものである。
【００２７】
この本体基部47の内部には、図３に示す薬液タンク45と薬液ポンプ41及びポンプ駆動部42が収納されているものであり、薬液ポンプ41を設けた薬液配管43が本体基部47に収納されている薬液タンク45から分配ユニット49に収納される分岐管57に接続されるものである。
【００２８】
尚、この薬液ポンプ41にはパルスポンプを用いて単位時間当たりの吐出量を一定とし、駆動継続時間により吐出量を正確に制御することができるようにしている。
【００２９】
また、図２に示した分配ユニット49には、図３に示した分岐管57や複数の電磁弁51〜54を収納しており、本体基部47の薬液タンク45から配管された薬液配管43が分岐管57に接続され、分岐管57により第１電磁弁51、第２電磁弁52、第３電磁弁53、第４電磁弁54を備えた分配配管59に接続されるものである。
【００３０】
この第１電磁弁51乃至第４電磁弁54は開閉弁であって、制御部32からの制御信号に基づいて各電磁弁51〜54を開閉動作させるものであり、各電磁弁51〜54を備えた分配配管59は各々が各海水吸入箱13に配管されるものである。
【００３１】
そして、制御装置31の本体上部に形成する制御部32は、電源スイッチ35やタッチパネル型の操作板37を制御部32の前面に有し、制御部32の内部にマイクロコンピュータを中央処理装置39として収納し、中央処理装置39によるデジタルタイマーを組み込むものとしてリレースイッチを中央処理装置39と組み合わせた制御部32を形成しているものである。
【００３２】
この制御部32では、図３に示したように、電源端子33に接続される電源トランス34を介した１００Ｖの電源電圧線が電源スイッチ35を介して中央処理装置39やリレースイッチ61〜65,67の制御部等に接続され、中央処理装置39からの制御信号線を各リレースイッチ61〜65,67の制御端子に接続してリレースイッチ61〜65,67をオンオフ制御するものである。
【００３３】
即ち、各リレースイッチ61〜64を、薬液ポンプ用タイマーリレースイッチ65、第１電磁弁用タイマーリレースイッチ61、第２電磁弁用タイマーリレースイッチ62、第３電磁弁用タイマーリレースイッチ63、第４電磁弁用タイマーリレースイッチ64、空調装置用タイマーリレースイッチ67とするものである。
【００３４】
従って、タッチパネル型の操作板37からの入力により、デジタルタイマーを構成する中央処理装置39で複数の２４時間デジタルタイマーとした各タイマーの選択、及び、選択したデジタルタイマーのオン時刻及びオフ時刻を分単位で設定することを可能とし、中央処理装置39からの信号により各リレースイッチ61〜64のオンオフを制御し、各リレースイッチ61〜64により設定されたオン時刻からオフ時刻の間の時間だけ制御信号を出力させることにより、制御部32からポンプや電磁弁及び空調装置100の空調機制御盤110に制御信号を出力することができるものである。
【００３５】
そして、薬液ポンプ用タイマーリレースイッチ65は薬液ポンプ41のポンプ駆動部42に、第１電磁弁用タイマーリレースイッチ61は第１電磁弁51の制御端子に、第２電磁弁用タイマーリレースイッチ62は第２電磁弁52の制御端子に、第３電磁弁用タイマーリレースイッチ63は第３電磁弁53の制御端子に、第４電磁弁用タイマーリレースイッチ64は第４電磁弁54の制御端子に、空調装置用タイマーリレースイッチ67は後述する空調機制御盤110の再起動信号端子186に、夫々接続し、薬液ポンプ用タイマーリレースイッチ65はポンプ駆動部42と共に空調機制御盤110の停止信号端子185に接続しているものである。
【００３６】
従って、制御部32における操作板37に表示された制御対象毎のタイマーにおけるオン時刻及びオフ時刻を操作して薬液ポンプ41の作動開始時刻及び作動継続時間と各電磁弁の開放動作時刻及び開放継続時間を設定し、所定の各海水吸入箱13に所定の時刻から所定の時間をかけて所定量の薬液の注入を行うことができる。
【００３７】
尚、本実施の形態では、電磁弁として第１電磁弁51乃至第４電磁弁54の４個としているも、この電磁弁の数は4個に限ることなく、当該船舶に設けられている海水吸入箱13の数に合わせて各海水吸入箱13毎に電磁弁を備えた分配配管59を配管すれば足りるものである。
【００３８】
また、この海洋生物付着防止装置30は、薬液ポンプ41及び薬液タンク45を制御装置31における本体基部47に収納して本体基部47の上に分配ユニット49及び制御部32を配置しているも、薬液タンク45は海洋生物付着防止装置30の本体とする制御装置31と別の箇所に配置することもあり、更には、薬液ポンプ41や分岐管57、電磁弁を制御装置31の本体とは異なる船内の場所に配置することもあり、図３に示したように、制御部32から薬液ポンプ41のポンプ駆動部42や第１電磁弁51乃至第４電磁弁54の各電磁弁及び空調装置100の空調機制御盤110に制御信号線を接続すれば足りるものである。
【００３９】
そして、空調装置100の空調機制御盤110は、図４に示すように、空調機制御盤110の扉の表面にメータやオンスイッチ、オフスイッチなどが配置され、内部にリレースイッチや分電盤、配電盤が収納されるものであり、冷却水用オンスイッチ116及びオフスイッチ117、循環水用オンスイッチ126及びオフスイッチ127、第１送風機用オンスイッチ136及びオフスイッチ137、第２送風機用オンスイッチ146及びオフスイッチ147、空調機用オンスイッチ156及びオフスイッチ157と暖房用の暖房運転スイッチ163及び冷房用の冷房運転スイッチ176などが空調機制御盤110に集約されて設けられている。
【００４０】
尚、この実施の形態は、第１送風機と第２送風機を備える空調装置100であるも、船舶の大きさや船種により、送風機が単独のもの又は３機以上の送風機を備える空調装置100とする場合などもあり、各船舶に合わせた空調装置100とされる。
【００４１】
そして、この海洋生物付着防止装置30として制御部32が接続される空調装置100の回路構成は、図５に示すように、空調機制御盤110に電源接続端子101やブリッジ接続端子105を有し、電源接続端子101にトランス103の一時側が接続され、２００Ｖから１００Ｖに低減した二次側からヒューズを介して電源線108が空調機制御盤110内で引き出されているものである。
【００４２】
この電源線108には、冷却水用ポンプモータ111と直列とする冷却水用電磁リレースイッチ１Ｘ114が接続され、この冷却水用電磁リレースイッチ１Ｘ114は、通常オフ状態とされるノーマルオフの状態であり、冷却水用リレーコイル１Ｘ113が通電されているとき、冷却水用リレーコイル１Ｘ113の磁力によりオン状態とされるものである。
【００４３】
そして、この冷却水用リレーコイル１Ｘ113は、一方の端子が冷却水用電磁リレースイッチ１Ｘ114と並列に配置された冷却水用オンスイッチ116と直列とされると共に、冷却水用リレーコイル１Ｘ113の他端子には冷却水用オフスイッチ117及びオフ用電磁リレースイッチ８Ｘ119が直列とされて電源線108の間に設けられるものである。
【００４４】
尚、冷却水用オンスイッチ116は、通常オフ状態とされるノーマルオフのスイッチであり、スイッチが押し込み操作されたときにオン状態となるものであり、また、冷却水用オフスイッチ117は、通常オン状態とされるノーマルオンのスイッチであり、スイッチが押し込み操作されたときにオフ状態となるものである。
【００４５】
そして、冷却水用オフスイッチ117と直列とされるオフ用電磁リレースイッチ８Ｘ119は、通常はオン状態であるノーマルオンのリレーであり、オフ用リレーコイル８Ｘ118に通電されたとき、オフ用リレーコイル８Ｘ118の磁力によってオフ状態とされるものである。
【００４６】
このため、冷却水用オンスイッチ116を操作すると、冷却水用リレーコイル１Ｘ113が通電状態となり、冷却水用電磁リレースイッチ１Ｘ114をオン状態とし、冷却水用ポンプモータ111を駆動し、冷却水用オフスイッチ117及びオフ用電磁リレースイッチ８Ｘ119がオン状態であるため、冷却水用電磁リレースイッチ１Ｘ114を介して冷却水用リレーコイル１Ｘ113の通電を持続させ、冷却水用ポンプモータ111の駆動を継続させる。
【００４７】
尚、この冷却水用ポンプモータ111は、船体10の船底11近くに設けた海水吸入箱13から空調装置100用の冷却海水を冷却海水吸入管21により取り入れる冷却海水用ポンプ23を駆動するものである。
【００４８】
そして、冷却水用オフスイッチ117が操作されるか、又は、オフ用リレーコイル８Ｘ118に通電されてオフ用電磁リレースイッチ８Ｘ119がオフ状態とされたとき、冷却水用リレーコイル１Ｘ113の通電が遮断されて冷却水用電磁リレースイッチ１Ｘ114がオフ状態に戻り、冷却水用ポンプモータ111の駆動を停止させる。
【００４９】
尚、冷却水用電磁リレースイッチ１Ｘ114と共に、この冷却水用リレーコイル１Ｘ113の電磁力によりオン状態とされるノーマルオフの冷却水用第２電磁リレースイッチ１Ｘ115もこの回路は備えるものである。
【００５０】
また、オフ用リレーコイル８Ｘ118の端子は、空調機制御盤110の停止信号端子185に接続され、この停止信号端子185は再起動信号端子186と合わせて海洋生物付着防止装置30における制御部32に制御信号線によって接続されるものであり、再起動信号端子186は冷却水用オンスイッチ116と冷却水用リレーコイル１Ｘ113との間に接続されると共に、後述する空調機用オンスイッチ156と空調機用リレーコイル５Ｘ153との接続線に接続されるものである。
【００５１】
更に、空調機制御盤110の電源線108には、循環水用ポンプモータ121と直列に電磁リレースイッチ２Ｘ124が配置される。
【００５２】
この循環水用の電磁リレースイッチ２Ｘ124もノーマルオフのリレーであり、この循環水用電磁リレースイッチ２Ｘ124のリレーコイル２Ｘ123は、一方の端子が循環水用電磁リレースイッチ２Ｘ124と並列とされた循環水用オンスイッチ126と直列とされ、他方の端子は循環水用オフスイッチ127と直列とされて電源線108の間に循環水用リレーコイル２Ｘ123が配置されるものである。
【００５３】
従って、循環水用オンスイッチ126を操作すると循環水用リレーコイル２Ｘ123に通電され、循環水用電磁リレースイッチ２Ｘ124がオン状態とされて循環水用ポンプモータ121が駆動されると共に循環水用リレーコイル２Ｘ123の通電が持続されて循環水用ポンプモータ121の駆動も持続される。そして、循環水用オフスイッチ127が操作されると循環水用リレーコイル２Ｘ123の通電が遮断され、循環水用電磁リレースイッチ２Ｘ124がオフ状態に戻り、循環水用ポンプモータ121の駆動が停止される。
【００５４】
尚、循環水用電磁リレースイッチ２Ｘ124も循環水用第２電磁リレースイッチ２Ｘ125を有し、この循環水用第２電磁リレースイッチ２Ｘ125もノーマルオフのリレーであり、循環水用リレーコイル２Ｘ123が通電されているときにオン状態とされるものである。
【００５５】
そして、第１送風機についても同様に、第１送風機用ファンモータ131と直列にノーマルオフの第１送風機用電磁リレースイッチ３Ｘ134が電源線108に接続され、この第１送風機用電磁リレースイッチ３Ｘ134のリレーコイル３Ｘ133は、一方の端子が第１送風機用電磁リレースイッチ３Ｘ134と並列とされた第１送風機用オンスイッチ136と直列とされ、他方の端子は第１送風機用オフスイッチ137と直列とされて電源線108の間に配置されるものである。
【００５６】
更に、第２送風機についても同様に、第２送風機用ファンモータ141と直列ノーマルオフの第２送風機用電磁リレースイッチ４Ｘ144が電源線108に接続され、この第２送風機用電磁リレースイッチ４Ｘ144のリレーコイル４Ｘ143は、一方の端子が第２送風機用電磁リレースイッチ４Ｘ144と並列とされた第２送風機用オンスイッチ146と直列とされ、他方の端子は第２送風機用オフスイッチ147と直列とされて電源線108の間に配置されるものである。
【００５７】
そして、空調機のポンプモータは、図５に示したように、冷却水用第２電磁リレースイッチ１Ｘ115、循環水用第２電磁リレースイッチ２Ｘ125、第１送風機用第２電磁リレースイッチ３Ｘ135、空調機用電磁リレースイッチ５Ｘ154が空調機用ポンプモータ151と直列に配置され、第２送風機用第２電磁リレースイッチ４Ｘ145が第１送風機用第２電磁リレースイッチ３Ｘ135と並列に配置されている。
【００５８】
また、空調機用電磁リレースイッチ５Ｘ154と並行にノーマルオフの空調機用オフスイッチ157が接続され、空調機用ポンプモータ151と並行に、空調機用リレーコイル５Ｘ153とノーマルオンの空調機用オフスイッチ157が直列に接続されて配置されている。
【００５９】
更に、空調機用ポンプモータ151と並列に暖房運転用ポンプモータ161と冷房運転用ポンプモータ171が配置され、この暖房運転用ポンプモータ161には暖房運転用電磁リレースイッチ６Ｘ166を、冷房運転用ポンプモータ171には冷房運転用電磁リレースイッチ７Ｘ176を接続するものであり、この暖房運転用電磁リレースイッチ６Ｘ166と冷房運転用電磁リレースイッチ７Ｘ176とは連動スイッチとされたオンオフ切換スイッチであり、暖房運転用電磁リレースイッチ６Ｘ166がオン状態であれば冷房運転用電磁リレースイッチ７Ｘ176はオフ状態とされ、暖房運転用電磁リレースイッチ６Ｘ166がオフ状態であれば冷房運転用電磁リレースイッチ７Ｘ176はオン状態とされるものである。
【００６０】
そして、直列とした暖房運転用ポンプモータ161及び暖房運転用電磁リレースイッチ６Ｘ166と並列に暖房運転スイッチ163と暖房用リレーコイル６Ｘ165とを直列として接続し、直列とした冷房運転用ポンプモータ171及び冷房運転用電磁リレースイッチ７Ｘ176と並列に冷房運転スイッチ173と冷房用リレーコイル７Ｘ175とを直列として接続するものである。
【００６１】
この暖房運転用電磁リレースイッチ６Ｘ166は、暖房用リレーコイル６Ｘ165に通電されるとオン状態となって冷房運転用電磁リレースイッチ７Ｘ176をオフ状態とし、冷房運転用電磁リレースイッチ７Ｘ176は冷房運転用リレーコイル７Ｘ173に通電されるとオン状態となって暖房運転用電磁リレースイッチ６Ｘ166をオフ状態とするものであり、暖房運転スイッチ163または冷房運転スイッチ173が操作されたときにオンオフ状態を切り替えるものである。
【００６２】
従って、この空調装置100は、冷却水用第２電磁リレースイッチ１Ｘ115がオン状態、即ち冷却水用ポンプモータ111が駆動状態であり、循環水用第２電磁リレースイッチ２Ｘ125がオン状態、即ち循環水用ポンプモータ121が駆動状態であり、第１送風機用第２電磁リレースイッチ３Ｘまたは第２送風機用第２電磁リレースイッチ４Ｘ145の少なくとも一方又は両者がオン状態、即ち第１送風機用ファンモータ131または第２送風機用ファンモータ141の少なくとも一方又は両者が駆動状態とされているとき、空調機用オンスイッチ156が操作されると空調機用リレーコイル５Ｘ153に通電され、空調機用電磁リレースイッチ５Ｘ154がオン状態とされるものである。
【００６３】
そして、空調機用電磁リレースイッチ５Ｘ154がオン状態とされると、空調機用ポンプモータ151が駆動されると共に、冷房運転用ポンプモータ171または暖房運転用ポンプモータ161が駆動され、暖房運転スイッチ163や冷房運転スイッチ173の操作状態により冷房運転用ポンプモータ171または暖房運転用ポンプモータ161の駆動切換が行われるものである。
【００６４】
更に、この空調機制御盤110では、上記各モータの非常停止スイッチ181を電源線108に設けると共に、冷却水用リレーコイル１Ｘ113、循環水用リレーコイル２Ｘ123、第１送風機用リレーコイル３Ｘ133、第２送風機用リレーコイル４Ｘ143、空調機用リレーコイル５Ｘ153の各一端の端子への制御信号線や電源線108がブリッジ接続端子105を介してブリッジに配線され、ブリッジからの遠隔操作も可能とされている。
【００６５】
そして、冷却水用リレーコイル１Ｘ113と直列に配置されるオフ用電磁リレースイッチ８Ｘ119を制御するオフ用リレーコイル８Ｘ118が停止信号端子185を介して海洋生物付着防止装置30の制御部32に接続されているため、制御部32から停止信号端子185に停止信号が入力されるとオフ用電磁リレースイッチ８Ｘ119の作動により冷却水用リレーコイル１Ｘ113の通電が遮断される。
【００６６】
このため、冷却水用電磁リレースイッチ１Ｘ114及び冷却水用第２電磁リレースイッチ１Ｘ115がノーマルオフの状態に戻り、冷却水用ポンプモータ111及び空調機用ポンプモータ151、更に駆動していた冷房運転用ポンプモータ171または暖房運転用ポンプモータ161、の各モータを停止させることができる。
【００６７】
また、冷却水用リレーコイル１Ｘ113の一方の端子及び空調機用リレーコイル５Ｘ153の一方の端子が再起動信号端子186を介して海洋生物付着防止装置30の制御部32に接続されているため、制御部32から再起動信号端子186に再起動信号が入力されると冷却水用リレーコイル１Ｘ113及び空調機用リレーコイル５Ｘ153を通電状態とし、冷却水用ポンプモータ111及び空調機用ポンプモータ151を再稼働させることができる。
【００６８】
尚、この空調装置100は、冷却海水用ポンプ23により取り込む海水を冷却水として循環水を一定温度範囲とし、循環水を循環水用ポンプによりヒートポンプの蒸発器または凝縮器に循環させ、空調機用ポンプによりヒートポンプの冷媒を循環させると共に、暖房運転用ポンプモータ161を駆動させるときは凝縮器から熱を取り出して暖房を可能とし、冷房運転モータを駆動させるときは蒸発器から冷熱を取り出して冷房を可能としているものである。
【００６９】
従って、この空調装置100では、海洋生物付着防止装置30の本体に組み込んだ制御部32が空調機制御盤110と接続され、薬液ポンプ41を作動させるときに停止信号を空調機制御盤110に出力し、空調機制御盤110において冷却水用電磁リレースイッチ１Ｘ114をオフ状態に戻して冷却水用ポンプモータ111を停止させ、空調装置用の冷却海水用ポンプ23による冷却海水の取入れを停止する。
【００７０】
そして、この冷却水用電磁リレースイッチ１Ｘ114は、空調機用ポンプモータ151と直列に配置される冷却水用第２電磁リレースイッチ１Ｘ115と連動しており、空調機用ポンプモータ151と暖房運転用ポンプモータ161または冷房運転用ポンプモータ171とを合わせて停止させるため、空調装置100に不具合を生じさせることなく空調装置用の冷却海水の取入れを中止し、海水吸入箱13の内部に注入拡散した薬液を海水吸入箱13に滞留させ、海洋生物の付着生育を防止することができ、空調装置100による送風を継続して船内換気を継続することができる。
【００７１】
さらに、１時間乃至３時間の時間経過後に再起動信号を空調機制御盤110に出力して冷却水用電磁リレースイッチ１Ｘ114をオン状態とし、冷却海水の取り込みを再開すると共に空調機用電磁リレースイッチ５Ｘ154をオン状態として空調装置100における暖房運転または冷房運転を再開することができる。
【００７２】
尚、図３に示した制御部32から空調機制御盤110の停止信号端子185への制御信号線としての結線は、薬液ポンプ用タイマーリレースイッチ65からの制御信号線を接続しているも、第１電磁弁用タイマーリレースイッチ61乃至第４電磁弁用タイマーリレースイッチ64の内、空調装置用冷却海水を取り入れる海水吸入箱13に接続される分配配管59に設けた電磁弁を制御する電磁弁用タイマーリレースイッチから引き出した制御信号線を空調機制御盤110の停止信号端子185に接続し、薬液ポンプ41を駆動して薬液を各海水吸入箱13に注入散布するに際し、空調装置用冷却海水を取り込む海水吸入箱13に薬液を注入するように電磁弁を開いた時に空調機を一時停止させることもある。
【００７３】
また、図５に示した実施の形態では、空調機制御盤110の制御回路において、停止信号端子185をオフ用リレーコイル８Ｘ118に接続し、再起動信号端子186を冷却水用リレーコイル１Ｘ113及び空調機用リレーコイル５Ｘ153に接続しているも、空調装置100の制御回路に合わせ、制御部32からの停止信号により空調装置100を送風運転モードとして冷却海水の取入れを停止させ、再起動信号により空調装置100を暖房運転または冷房運転モードに戻すことができるように、空調機制御盤110の制御回路にスイッチ類を組み込めば足りるものである。
【００７４】
そして、制御部32の中央処理装置39をもって構成するデジタルタイマーは、分単位での時刻設定が可能とされる２４時間タイマーとしているため、乗組員の活動が比較的少ない夜間の時間帯を利用し、空調装置用冷却海水を取り入れる海水吸入箱13への電磁弁を数分間開くと共に薬液ポンプ41を駆動して海水吸入箱13に薬液を注入することとし、このとき、空調装置100の冷却海水の取入れを休止し、海水吸入箱13への薬液注入を行った後、１時間乃至２時間程度経過したときに冷却海水の取入れを再開することができる。
【００７５】
このように、この海洋生物付着防止装置30は、空調装置100と接続されて海水吸入箱13に薬液を注入散布するときは、空調装置100の冷却海水の取入れを休止させ、海水吸入箱13に散布した薬液を海水吸入箱13の内部に拡散させ、海水吸入箱13の壁面に皮膜を形成して海洋生物の付着生育を防止することができる。
【００７６】
そして、空調装置100には、冷暖房運転モードにより温度調整を行うための空調機を停止させ、送風運転モードとして冷却海水の取入れを中断するも送風機の運転は継続させて船内の換気を継続させることができる。
【００７７】
尚、空調機用の冷却海水の取入れ休止時間は、薬液による被膜形成等、薬効が発揮される時間に合わせて調整設定するものである。
【００７８】
また、上記実施の形態は、海洋生物付着防止装置30の制御部32をマイクロコンピュータによるデジタルタイマーを用いて構成しているも、旧来からのメカニカルタイマーやシーケンスタイマーであっても、薬液ポンプ41の駆動開始時刻及び停止時刻と複数個設けられている各電磁弁の開放動作時刻及び閉鎖時刻を設定できるものであれば足りる。
【符号の説明】
【００７９】
１０  船体                        １１  船底
１３  海水吸入箱                  １５  吸入口カバー
２１  冷却海水吸入管              ２３  冷却海水用ポンプ
２５  バルブ
３０  海洋生物付着防止装置
３１  制御装置                    ３２  制御部
３３  電源端子                    ３４  電源トランス
３５  電源スイッチ                ３７  操作板
３９  中央処理装置
４１  薬液ポンプ                  ４２  ポンプ駆動部
４３  薬液配管                    ４５  薬液タンク
４７  分配ユニット                ５１  第１電磁弁
５２  第２電磁弁                  ５３  第３電磁弁
５４  第４電磁弁                  ５７  分岐管
５９  分配配管
６１  第１電磁弁用タイマーリレースイッチ
６２  第２電磁弁用タイマーリレースイッチ
６３  第３電磁弁用タイマーリレースイッチ
６４  第４電磁弁用タイマーリレースイッチ
６５  薬液ポンプ用タイマーリレースイッチ
６７  空調装置用タイマーリレースイッチ
１００  空調装置
１０１  電源接続端子              １０３  トランス
１０５  ブリッジ接続端子          １０８  電源線
１１０  空調機制御盤
１１１  冷却水用ポンプモータ
１１３  冷却水用リレーコイル
１１４  冷却水用電磁リレースイッチ
１１５  冷却水用第２電磁リレースイッチ
１１６  冷却水用オンスイッチ
１１７  冷却水用オフスイッチ
１１８  冷却水用オフリレーコイル
１１９  オフ用電磁リレースイッチ
１２１  循環水用ポンプモータ
１２３  循環水用リレーコイル
１２４  循環水用電磁リレースイッチ
１２５  循環水用第２電磁リレースイッチ
１２６  循環水用オンスイッチ
１２７  循環水用オフスイッチ
１３１  第１送風機用ポンプモータ
１３３  第１送風機用リレーコイル
１３４  第１送風機用電磁リレースイッチ
１３５  第１送風機用第２電磁リレースイッチ
１３６  第１送風機用オンスイッチ
１３７  第１送風機用オフスイッチ
１４１  第２送風機用ポンプモータ
１４３  第２送風機用リレーコイル
１４４  第２送風機用電磁リレースイッチ
１４５  第２送風機用第２電磁リレースイッチ
１４６  第２送風機用オンスイッチ
１４７  第２送風機用オフスイッチ
１５１  空調機用ポンプモータ
１５３  空調機用リレーコイル
１５４  空調機用電磁リレースイッチ
１５６  空調機用オンスイッチ
１５７  空調機用オフスイッチ
１６１  暖房運転用ポンプモータ
１６３  暖房運転スイッチ
１６５  暖房用リレーコイル
１６６  暖房用電磁リレースイッチ
１７１  冷房運転モータ
１７３  冷房スイッチ
１７５  冷房用リレーコイル
１７６  冷房用電磁リレースイッチ
１８１  非常停止スイッチ
１８５  停止信号端子
１８６  再起動信号端子
【図１】
0005481524.tif 000002
【図２】
0005481524.tif 000003
【図３】
0005481524.tif 000004
【図４】
0005481524.tif 000005
【図５】
0005481524.tif 000006